【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
測定温度で、磁気ヘッドに備えられたヒーターへの印加時に前記磁気ヘッドの一端が熱膨張して突出されるＦＯＤ電圧と前記磁気ヘッドの浮上高との関係を規定した基準ＦＯＤ電圧プロファイルを算出する段階と、
基準温度で、既定の前記磁気ヘッドの基準最大浮上高を用いて補正された前記基準ＦＯＤ電圧プロファイルを前記磁気ヘッドの浮上高を制御するための印加ＦＯＤ電圧プロファイルに設定する段階と、を含むことを特徴とするハードディスクドライブの磁気ヘッドの浮上高の制御方法。
【請求項２】
前記磁気ヘッドの基準最大浮上高は、前記基準温度で設定された値に該当する前記磁気ヘッドの最大浮上高であることを特徴とする請求項１に記載のハードディスクドライブの磁気ヘッドの浮上高の制御方法。
【請求項３】
前記基準温度で、既定の前記磁気ヘッドの基準最大浮上高を用いて補正された前記基準ＦＯＤ電圧プロファイルを前記磁気ヘッドの浮上高を制御するための印加ＦＯＤ電圧プロファイルに設定する段階は、
前記基準ＦＯＤ電圧プロファイルで前記磁気ヘッドの最大浮上高と前記基準温度で設定された値に該当する前記基準最大浮上高との差値に基づいて前記基準ＦＯＤ電圧プロファイルを補正し、該補正された前記ＦＯＤ電圧プロファイルを前記印加ＦＯＤ電圧プロファイルに設定する段階であることを特徴とする請求項２に記載のハードディスクドライブの磁気ヘッドの浮上高の制御方法。
【請求項４】
前記基準温度で、既定の前記磁気ヘッドの基準最大浮上高を用いて補正された前記基準ＦＯＤ電圧プロファイルを前記磁気ヘッドの浮上高を制御するための印加ＦＯＤ電圧プロファイルに設定する段階は、
前記基準ＦＯＤ電圧プロファイルで、前記磁気ヘッドの最大浮上高と前記基準最大浮上高との差値であるデルタ最大浮上高を求める段階と、
所定大きさのＦＯＤ電圧の印加時に前記基準ＦＯＤ電圧プロファイルでの前記磁気ヘッドの測定浮上高から、前記基準ＦＯＤ電圧プロファイルで前記磁気ヘッドがタッチダウンされる時のタッチダウンＦＯＤ電圧に対する前記所定大きさのＦＯＤ電圧の比率と前記デルタ最大浮上高とを既定の演算式で算出した値を減算して、前記磁気ヘッドの測定浮上高を補正することによって、前記ＦＯＤ電圧プロファイルを補正し、該補正された前記ＦＯＤ電圧プロファイルを前記磁気ヘッドの浮上高を制御するための前記印加ＦＯＤ電圧プロファイルに設定する段階と、を含むことを特徴とする請求項３に記載のハードディスクドライブの磁気ヘッドの浮上高の制御方法。
【請求項５】
前記タッチダウンＦＯＤ電圧に対する前記所定大きさのＦＯＤ電圧の比率と前記デルタ最大浮上高とを既定の演算式で算出した値は、前記タッチダウンＦＯＤ電圧に対する前記所定大きさのＦＯＤ電圧の比率と前記デルタ最大浮上高とを乗算した値であることを特徴とする請求項４に記載のハードディスクドライブの磁気ヘッドの浮上高の制御方法。
【請求項６】
前記基準ＦＯＤ電圧プロファイルで前記磁気ヘッドの最大浮上高は、前記測定温度で測定された前記磁気ヘッドの最大浮上高であることを特徴とする請求項３から５のいずれかに記載のハードディスクドライブの磁気ヘッドの浮上高の制御方法。
【請求項７】
前記基準ＦＯＤ電圧プロファイルで前記磁気ヘッドの最大浮上高は、所定の実験式によって求められた温度別磁気ヘッドの最大浮上高の変化率に基づいて算出されることを特徴とする請求項３から６のいずれかに記載のハードディスクドライブの磁気ヘッドの浮上高の制御方法。
【請求項８】
測定温度で、磁気ヘッドに備えられたヒーターへの印加時に前記磁気ヘッドの一端が熱膨張して突出されるＦＯＤ電圧と前記磁気ヘッドの浮上高との関係を規定した基準ＦＯＤ電圧プロファイルを算出する段階と、
基準温度で、既定の前記磁気ヘッドの基準最大浮上高を用いて補正された前記基準ＦＯＤ電圧プロファイルを前記磁気ヘッドの浮上高を制御するための印加ＦＯＤ電圧プロファイルに設定する段階と、を含むことを特徴とするハードディスクドライブの磁気ヘッドの浮上高の制御方法を行うコンピュータプログラムを記録した記録媒体。
【請求項９】
ディスク上にデータを記録しディスク上からデータを再生するための磁気ヘッドと、
測定温度で、前記磁気ヘッドに備えられたヒーターへの印加時に前記磁気ヘッドの一端が熱膨張して突出されるＦＯＤ電圧と前記磁気ヘッドの浮上高との関係を規定した基準ＦＯＤ電圧プロファイルを算出し、基準温度で既定の前記磁気ヘッドの基準最大浮上高を用いて前記基準ＦＯＤ電圧プロファイルを補正し、該補正された前記基準ＦＯＤ電圧プロファイルである印加ＦＯＤ電圧プロファイルに基づいて前記磁気ヘッドの浮上高を制御するコントローラと、を含むことを特徴とするハードディスクドライブ。
【請求項１０】
前記磁気ヘッドの基準最大浮上高は、前記基準温度で設定された値に該当する前記磁気ヘッドの最大浮上高であることを特徴とする請求項９に記載のハードディスクドライブ。
【請求項１１】
前記コントローラは、
前記磁気ヘッドの基準最大浮上高を用いて前記ＦＯＤ電圧プロファイルを補正するために、前記基準ＦＯＤ電圧プロファイルで前記磁気ヘッドの最大浮上高と前記基準温度で設定された値に該当する前記基準最大浮上高との差値に基づいて前記ＦＯＤ電圧プロファイルを補正することを特徴とする請求項１０に記載のハードディスクドライブ。
【請求項１２】
前記コントローラは、
前記基準ＦＯＤ電圧プロファイルで前記磁気ヘッドの最大浮上高と前記基準最大浮上高との差値に基づいて前記ＦＯＤ電圧プロファイルを補正するために、前記基準ＦＯＤ電圧プロファイルで前記磁気ヘッドの最大浮上高と前記基準最大浮上高との差値であるデルタ最大浮上高を求め、所定大きさのＦＯＤ電圧の印加時に前記基準ＦＯＤ電圧プロファイルでの前記磁気ヘッドの測定浮上高から、前記基準ＦＯＤ電圧プロファイルで前記磁気ヘッドがタッチダウンされる時のタッチダウンＦＯＤ電圧に対する前記所定大きさのＦＯＤ電圧の比率と前記デルタ最大浮上高とを既定の演算式で算出した値を減算して、前記磁気ヘッドの測定浮上高を補正することを特徴とする請求項１１に記載のハードディスクドライブ。
【請求項１３】
前記タッチダウンＦＯＤ電圧に対する前記所定大きさのＦＯＤ電圧の比率と前記デルタ最大浮上高とを既定の演算式で算出した値は、前記タッチダウンＦＯＤ電圧に対する前記所定大きさのＦＯＤ電圧の比率と前記デルタ最大浮上高とを乗算した値であることを特徴とする請求項１２に記載のハードディスクドライブ。
【請求項１４】
前記基準ＦＯＤ電圧プロファイルで前記磁気ヘッドの最大浮上高は、前記測定温度で測定された前記磁気ヘッドの最大浮上高であることを特徴とする請求項１０から１３のいずれかに記載のハードディスクドライブ。
【請求項１５】
前記基準ＦＯＤ電圧プロファイルで前記磁気ヘッドの最大浮上高は、所定の実験式によって求められた温度別磁気ヘッドの最大浮上高の変化率に基づいて算出されることを特徴とする請求項１０から１４のいずれかに記載のハードディスクドライブ。
【請求項１６】
ディスク上にデータを記録しディスク上からデータを再生するための磁気ヘッドと、
基準温度で設定され、計算された基準最大浮上高に基づいて前記ディスクに対する前記磁気ヘッドの浮上高を制御するコントローラと、を含むことを特徴とするユーザー環境で利用可能なハードディスクドライブ。
【請求項１７】
ディスク上にデータを記録しディスク上からデータを再生するための磁気ヘッドと、
基準ＦＯＤ電圧プロファイルを算出し、基準温度で既定の前記磁気ヘッドの基準最大浮上高を用いて前記基準ＦＯＤ電圧プロファイルを補正し、該補正された前記基準ＦＯＤ電圧プロファイルに基づいて前記磁気ヘッドの浮上高を制御するコントローラと、を含むことを特徴とするユーザー環境で利用可能なハードディスクドライブ。
【請求項１８】
前記基準ＦＯＤ電圧プロファイルは、測定温度でのＦＯＤ電圧と前記磁気ヘッドの浮上高との関係を規定することを特徴とする請求項１７に記載のユーザー環境で利用可能なハードディスクドライブ。
【請求項１９】
補正された前記基準ＦＯＤ電圧プロファイルは、印加ＦＯＤ電圧プロファイルであることを特徴とする請求項１８に記載のユーザー環境で利用可能なハードディスクドライブ。
【請求項２０】
ユーザー環境でディスク上にデータを記録しディスク上からデータを再生する段階と、
基準温度で設定された基準最大浮上高に基づいて前記ディスクに対する磁気ヘッドの浮上高を制御する段階と、を含むことを特徴とするハードディスクドライブの磁気ヘッドの浮上高の制御方法。
【請求項２１】
ユーザー環境でディスク上にデータを記録しディスク上からデータを再生する段階と、
基準ＦＯＤ電圧プロファイルを算出する段階と、
基準温度で設定された磁気ヘッドの基準最大浮上高を用いて前記基準ＦＯＤ電圧プロファイルを補正する段階と、
補正された前記基準ＦＯＤ電圧プロファイルに基づいて前記磁気ヘッドの浮上高を制御する段階と、を含むことを特徴とするハードディスクドライブの磁気ヘッドの浮上高の制御方法。